(57)【要約】      （修正有）【課題】ガイドレールの変形等に起因する偏荷重や、ガイドシューの磨耗にかかわらず、ガイドレールにガイドシューを追従させることにより、振動の発生を抑制することができるエレベータのガイド装置を得る。【解決手段】エレベータのガイド装置において、エレベータ昇降路内に立設されたガイドレールの間に昇降自在に配置される昇降体に取付されるエレベータのガイド装置であって、前記ガイドレール１の端面に摺動自在に係合する第１のシュー材５ａと、前記ガイドレールの一側面に摺動自在に係合する第２のシュー材５ｂと、前記ガイドレールの他側面に摺動自在に係合する第３のシュー材５ｃと、前記第１から第３のシュー材のそれぞれを別個に弾性支持し、弾性的に付勢された状態で用いられ、その弾性力を個別に調整可能である弾性支持部材８と、を備えた構成とする。【選択図】図１
2008290867.tif 000002
【特許請求の範囲】
【請求項１】
エレベータ昇降路内に立設されたガイドレールの間に昇降自在に配置される昇降体に取付されるエレベータのガイド装置であって、
前記ガイドレールの端面に摺動自在に係合する第１のシュー材と、
前記ガイドレールの一側面に摺動自在に係合する第２のシュー材と、
前記ガイドレールの他側面に摺動自在に係合する第３のシュー材と、
前記第１から第３のシュー材のそれぞれを別個に弾性支持し、弾性的に付勢された状態で用いられ、その弾性力を個別に調整可能である弾性支持部材と、を備えたことを特徴とするエレベータのガイド装置。
【請求項２】
前記第１から第３のシュー材が、所定の変位量を超過して変位することを防止する変位防止手段を備えたことを特徴とする請求項１に記載のエレベータのガイド装置。
【請求項３】
その開口側が前記ガイドレールに対向するように配設された断面略コの字型のフレームと、
前記第１から第３のシュー材のそれぞれが別個に固定されるシュー支えと、を備え、
前記第１のシュー材が固定される前記シュー支えは、このシュー支えの中央部に結合された前記弾性支持部材を介して、前記フレームの中央部内側にて弾性支持され、
前記第２のシュー材が固定される前記シュー支えは、このシュー支えの中央部に結合された前記弾性支持部材を介して、前記フレームの一端寄り内側にて弾性支持され、
前記第３のシュー材が固定される前記シュー押えは、このシュー支えの中央部に結合された前記弾性支持部材を介して、前記フレームの他端寄り内側にて弾性支持されることを特徴とする請求項１に記載のエレベータのガイド装置。
【請求項４】
前記第１から第３のシュー材が、所定の変位量を超過して変位することを防止する変位防止手段を備えたことを特徴とする請求項３に記載のエレベータのガイド装置。
【請求項５】
前記変位防止手段は、
前記フレームのそれぞれの前記シュー支えに対向する位置に、前記フレームの内側へと突出して、かつ、それぞれの前記シュー支えとの間に適当な間隙をもって取付された、ストッパボルトと、
それぞれの前記シュー支えの前記ストッパボルトに対向する位置に取付された、円筒状のストッパと、を備え、
前記ストッパボルトの先端は、前記ストッパの円筒内方で、かつ、前記ストッパの先端よりも、前記シュー支え側に位置することを特徴とする請求項４に記載のエレベータのガイド装置。
【請求項６】
前記ストッパボルトは、前記フレームの、それぞれの前記シュー支えの長手方向両端寄りに対向する位置にそれぞれ取付されたことを特徴とする請求項５に記載のエレベータのガイド装置。
【発明の詳細な説明】
【技術分野】
【０００１】
この発明は、エレベータのガイド装置に関するものである。
【背景技術】
【０００２】
従来におけるエレベータのガイド装置においては、昇降路に立設されるガイドレールに沿ってエレベータのかごを案内するガイドシューと、このガイドシューを支持する断面がコ字形状のガイドシュー支え部と、このガイドシュー支え部を弾性支持している土台とを備えるエレベータのガイド装置であって、前記ガイドレールに相対するガイドシュー表面の中央付近部分がガイドレールに接触しないような凹形状にされ、かつ、このガイドシューを支持しているガイドシュー支え部が中央部付近で弾性部材で支持されており、前記ガイドレール面の変位に対して所定の圧縮剛性をもたせるとともに、ガイドシュー支え部の上下方向変位及び回転変位に対しても所定の剛性を与えることを特徴とするものが知られている（例えば、特許文献１参照）。
【０００３】
【特許文献１】特開２０００−２３８９７５号公報
【発明の開示】
【発明が解決しようとする課題】
【０００４】
しかしながら、特許文献１に示された従来におけるエレベータのガイド装置においては、ガイドレールの端面及び両側面の三方を取り囲むそれぞれのガイドシューを直接支持するガイドシュー支え部が断面コ字形状の一体であり、それ故、各ガイドシュー同士の相対的位置関係が固定されているため、ガイドレールの変形等の影響により、ガイドレールの一側面に対向するガイドシューが、そのレール一側面へと押付けられる方向に偏荷重を受けた際に、ガイドレールの他側面に対向するガイドシューは、そのレール他側面から離間する方向へと浮いてしまい、その反動により、今度は前記レール他側面に対向するガイドシューがそのレール他側面に接触し、その際に単発振動が発生し易いという課題や、ガイドシューの磨耗が進むと、ガイドシューとガイドレールとの隙間が拡大し、振動が発生し易くなるという課題がある。
【０００５】
この発明は、前述のような課題を解決するためになされたもので、ガイドレールの変形等に起因する偏荷重や、ガイドシューの磨耗にかかわらず、ガイドレールにガイドシューを追従させることにより、振動の発生を抑制することができるエレベータのガイド装置を得るものである。
【課題を解決するための手段】
【０００６】
この発明に係る、エレベータのガイド装置においては、エレベータ昇降路内に立設されたガイドレールの間に昇降自在に配置される昇降体に取付されるエレベータのガイド装置であって、前記ガイドレールの端面に摺動自在に係合する第１のシュー材と、前記ガイドレールの一側面に摺動自在に係合する第２のシュー材と、前記ガイドレールの他側面に摺動自在に係合する第３のシュー材と、前記第１から第３のシュー材のそれぞれを別個に弾性支持し、弾性的に付勢された状態で用いられ、その弾性力を個別に調整可能である弾性支持部材と、を備えた構成とする。
【発明の効果】
【０００７】
この発明はエレベータのガイド装置に関し、エレベータ昇降路内に立設されたガイドレールの間に昇降自在に配置される昇降体に取付されるエレベータのガイド装置であって、前記ガイドレールの端面に摺動自在に係合する第１のシュー材と、前記ガイドレールの一側面に摺動自在に係合する第２のシュー材と、前記ガイドレールの他側面に摺動自在に係合する第３のシュー材と、前記第１から第３のシュー材のそれぞれを別個に弾性支持し、弾性的に付勢された状態で用いられ、その弾性力を個別に調整可能である弾性支持部材と、を備えた構成としたことで、ガイドレールの変形や、ガイドレールの継ぎ目等に起因する偏荷重が作用した際や、シュー材の磨耗が進んでしまった際においても、それぞれのシュー材がガイドレールのレール面から離間することがないため、シュー材とレール面との離間に引き続くこれらの当接に起因する振動の発生を、簡潔な構成により抑制することが可能であるという効果を奏する。
【発明を実施するための最良の形態】
【０００８】
実施の形態１．
図１から図３は、この発明の実施の形態１に関するもので、図１はガイド装置の平面図、図２はガイド装置の正面図、図３は図２中のＡ部を拡大した斜視図である。
図において１はエレベータ昇降路（図示せず）内に立設されたガイドレールで、このガイドレール１の間には、ガイド装置２を介して図示しない昇降体（乗りかご、釣合い重り等）が昇降自在に配置されている。
前記昇降体の両側上下端部にはベース３がそれぞれ螺着されており、このベース３には、断面略コの字型のフレーム４がその開口側が前記ガイドレール１に対向するように直立して設けられている。
５ａは、前記ガイドレール１の端面１ａに摺動自在に係合する第１のシュー材で、この第１のシュー材５ａはシュー押え６によりシュー支え７に固定された上で、このシュー支え７の中央部に結合された弾性支持部材８（例えば、コイルばね）を介して、前記フレーム４の中央部内側にて弾性支持されている。
５ｂは、前記ガイドレール１の一側面１ｂに摺動自在に係合する第２のシュー材で、この第２のシュー材５ｂは、前記第１のシュー材５ａ同様、シュー押え６によりシュー支え７に固定された上で、このシュー支え７の中央部に結合された弾性支持部材８を介して、前記フレーム４の一端寄り内側にて弾性支持されている。
そして、５ｃは、前記ガイドレール１の他側面１ｃに摺動自在に係合する第３のシュー材で、この第３のシュー材５ｃは、前記第１のシュー材５ａ及び前記第２のシュー材５ｂ同様、シュー押え６によりシュー支え７に固定された上で、このシュー支え７の中央部に結合された弾性支持部材８を介して、前記フレーム４の他端寄り内側にて弾性支持されている。
前記フレーム４の、それぞれの前記シュー支え７の長手方向両端部に対向する位置には、ストッパボルト９が、前記フレーム４の内側へと突出して、かつ、それぞれの前記シュー支え７との間に適当な間隙をもって取付されており、また、それぞれの前記シュー支え７の、前記シュー支え７長手方向の一方寄り（ここでは、図２に向かって上方寄り）に取付された前記ストッパボルト９に対向する位置には、円筒状のストッパ１０が取付されている。この際、前記ストッパボルト９の先端は、前記ストッパ１０の円筒内方で、かつ、前記ストッパ１０の先端よりも、前記シュー支え７側に位置するように調整されている。
【０００９】
前記ガイド装置２を前記ガイドレール１に係合させる際には、それぞれの前記弾性支持部材８を弾性的に付勢した状態で、それぞれの前記シュー材を前記ガイドレール１へと摺動自在に当接させており、こうすることで、前記ガイドレール１の変形や、前記ガイドレール１の継ぎ目等に起因する偏荷重が作用した際や、前記シュー材の磨耗が進んでしまった際においても、それぞれの前記弾性支持部材８の付勢力がそれぞれの前記シュー材の状況に応じて別個に作用することにより、それぞれの前記シュー材が前記ガイドレール１のレール面から離間することを抑制している。
また、前記ガイド装置２に作用した偏荷重等により、それぞれの前記シュー材が、前記ガイドレール１のレール面から離反する方向に変位した場合においては、前記シュー支え７と前記ストッパボルト９とが当接することにより、その変位量が一定以上に達することを未然に防止するとともに、同じく偏荷重等により、それぞれの前記シュー材が、前記ガイドレール１のレール面と平行な面内にて回転変位した場合においては、前記ストッパボルト９と前記ストッパ１０とが当接することにより、その変位量が一定以上に達することを未然に防止する。
【００１０】
以上のように構成されたエレベータのガイド装置においては、ガイドレールの変形や、ガイドレールの継ぎ目等に起因する偏荷重が作用した際や、シュー材の磨耗が進んでしまった際においても、それぞれのシュー材がガイドレールのレール面から離間することがないため、シュー材とレール面との離間に引き続くこれらの当接に起因する振動の発生を、簡潔な構成により抑制することが可能である。
また、ガイドレールの三面にそれぞれ係合するシュー材と弾性支持部材の組が、それぞれ別離して設けられているため、それぞれのシュー材に付勢される弾性力をそれぞれの弾性支持部材ごと個別に調整可能であり、本発明を適用するエレベータの設置環境等に応じて、振動抑制力をより大きくするように調整することができる。
【図面の簡単な説明】
【００１１】
【図１】この発明の実施の形態１におけるガイド装置の平面図である。
【図２】この発明の実施の形態１におけるガイド装置の正面図である。
【図３】この発明の実施の形態１における図２中のＡ部を拡大した斜視図である。
【符号の説明】
【００１２】
１    ガイドレール
１ａ  レール端面
１ｂ  レール一側面
１ｃ  レール他側面
２    ガイド装置
３    ベース
４    フレーム
５ａ  第１のシュー材
５ｂ  第２のシュー材
５ｃ  第３のシュー材
６    シュー押え
７    シュー支え
８    弾性支持部材
９    ストッパボルト
１０    ストッパ
【図１】
2008290867.tif 000003
【図２】
2008290867.tif 000004
【図３】
2008290867.tif 000005